(57)【特許請求の範囲】
【請求項１】
流体レギュレータバイパス弁の流体流量特性を制御する装置であって、
バイパス弁の通路に挿入される寸法の本体を有する挿入部を備え、前記本体は、前記本体のボアを前記本体の外面と流体結合するための開口を含み、前記開口は、前記開口に対して回転して、前記開口および前記バイパス弁を通る流体流量を変化させる、前記バイパス弁のリストリクタの少なくとも一部に対応して所定の流量特性を生成するように成形され、
前記リストリクタの表面にはねじが位置して、前記バイパス弁の本体に形成されたねじ切りに係合し、
前記挿入部は更に、前記バイパス弁のリッジに係合する1以上の溝部、又は前記挿入部を前記バイパス弁内に保持するために前記バイパス弁の凹所に係合するクリップを備える、装置。
【請求項２】
前記本体の前記ボアは、前記リストリクタを受容し、該リストリクタはバイパス弁に螺合する、請求項１に記載の装置。
【請求項３】
前記本体は、細長い本体を備え、そこを通って前記開口が形成される、請求項１に記載の装置。
【請求項４】
前記本体は、カラーを有する細長い本体を備える、請求項１に記載の装置。
【請求項５】
前記細長い本体は、前記開口に実質的に垂直な前記ボアの第２の開口を形成する、請求項４に記載の装置。
【請求項６】
前記クリップは、前記開口と実質的に対向して位置する、請求項1に記載の装置。
【請求項７】
前記クリップは、スナップ嵌合するクリップである、請求項１に記載の装置。
【請求項８】
前記ボアは、シールを受容する少なくとも１つの溝部を画定する、請求項１に記載の装置。
【請求項９】
前記ボアは、前記リストリクタに係合する座を確定する、請求項１に記載の装置。
【請求項１０】
前記所定の流量特性は、線形流量特性、等比百分率流量特性、または修正された流量特性のうちの少なくとも１つである、請求項１に記載の装置。
【請求項１１】
前記挿入部は、前記バイパス弁の前記通路に一体に結合する、請求項１に記載の装置。
【請求項１２】
前記挿入部は、プラスチック材料または金属材料のうちの少なくとも１つからなる、請求項１に記載の装置。
【請求項１３】
流体レギュレータバイパス弁の流体流量特性を制御する装置であって、
挿入部のボアを前記挿入部の外面に流体結合して所定の流量特性を生成する手段であって、前記バイパス弁のリッジに係合する1以上の溝部、又は前記挿入部を前記バイパス弁内に保持するために前記バイパス弁の凹所に係合するクリップを含む前記挿入部を前記バイパス弁内に保持する手段を備える所定の流量特性を生成する手段と、
前記挿入部の前記ボアを前記挿入部の前記外面に流体結合する前記手段を通して流体流量を変化させる手段であって、該手段は前記リストリクタの表面に位置して、前記バイパス弁の本体に形成されたねじ切りに係合するねじを含む装置。
【請求項１４】
前記挿入部の前記ボアを前記挿入部の前記外面に流体結合する前記手段を通して前記流体流量を変化させる前記手段は、前記挿入部の前記ボアを前記挿入部の前記外面に流体結合する前記手段に隣接する、請求項１３に記載の装置。
【請求項１５】
前記挿入部は、前記挿入部の前記ボアを前記挿入部の前記外面に流体結合する前記手段を通して前記流体流量を変化させる前記手段に実質的に同軸である、請求項１３に記載の装置。
【請求項１６】
前記挿入部は、前記挿入部の前記ボアを前記挿入部の前記外面と流体結合する前記手段を通して前記流体流量を変化させる前記手段に実質的に垂直である、請求項１３に記載の装置。
【発明の詳細な説明】
【技術分野】
【０００１】
本発明は、一般に流体流量特性を制御する装置に関し、より詳細には、流体レギュレータバイパス弁の流体流量特性を制御する装置に関する。
【背景技術】
【０００２】
バイパス調整ネジは通常、例えばボリュームブースタなどの様々な処理システムに含まれ得るバイパス通路または弁とともに使用される。ボリュームブースタは、制御弁または他の装置のストローク速度を増加するために使用されることが多い。ボリュームブースタは、ポジショナからの入力圧力のサイズ、ボリュームブースタの両側の必要圧力差の達成、および／またはバイパス通路に対するバイパス調整ネジの位置などの異なる要因に基づいて起動してもよい。ボリュームブースタを起動することにより、ボリュームブースタが流体流量をアクチュエータに供給し、アクチュエータに結合された弁または他の装置の位置を変化させる支援をする。
【０００３】
ボリュームブースタのバイパス調整ネジは、バイパス通路を制限するように調整することができ、これによってボリュームブースタを起動する圧力入力の大きさを変化させる。例えば、バイパス調整ネジがバイパス通路を実質的に遮断または制限する場合、比較的低い入力信号でボリュームブースタ信号ダイアフラムの両側の必要圧力差が達成されるので、比較的小さい圧力入力でボリュームブースタが起動する。あるいは、バイパス通路が実質的に遮断されない、または制限されない（例えば開いている）ようにバイパス調整ネジが調整されている場合、比較的高い入力信号でボリュームブースタの両側の必要圧力差が達成されるので、ボリュームブースタを起動するためには比較的大きい圧力入力が必要である。
【０００４】
公知のバイパス調整ネジは、バイパス通路の座に近づくようにまたは座から遠ざかるように調整可能に移動することができる円錐形ヘッドを有する。具体的には、バイパス調整ネジが調整される（例えば回転される）と、円錐形ヘッドは座に近づくようにまたは座から遠ざかるように移動し、したがってボリュームブースタを起動せずにバイパス通路を通って流すことができる流体流量比および／または流体量を変化させる。円錐形ヘッドと座との間の開口は、通常急開流量特性を提供する。こうした急開流量特性は、少ない移動距離（すなわちバイパス調整ネジのわずかな調整）で流量比を最大に変化させ、したがって公知のバイパス調整ネジは所望の流量比に対して過大および／または過小となる傾向を有する（例えばバイパス通路を通る少な過ぎる流量、または多過ぎる流量を提供する)。結果として、バイパス調整ネジを較正するのに必要とされる調整時間は、著しく増加する場合がある。
【発明の概要】
【課題を解決するための手段】
【０００５】
本明細書に記載された例は、バイパス弁の通路内に挿入される寸法にされた本体を有する挿入部を含む流体レギュレータバイパス弁の流体特性を制御する装置に関する。本体は、本体のボアが外面に流体結合する開口を含む。開口は、開口に対して移動して開口およびバイパス弁を通る流体流量を変化させる、バイパス弁のリストリクタの少なくとも一部に対応して所定の流量特性を生成するように成形されている。
【図面の簡単な説明】
【０００６】
【図１】公知のバイパス弁構造を有する公知のボリュームブースタを示す図である。
【図２】例示的バイパス弁の側面図である。
【図３】図２の例示的挿入部の別の図である。
【図４】図２および図３の例示的挿入部の別の図である。
【図５】図２および図３の例示的挿入部の断面図である。
【図６】図２の例示的リストリクタの別の図である。
【図７】代替例のバイパス弁を示す図である。
【図８】図７の代替例の挿入部の別の図である。
【発明を実施するための形態】
【０００７】
いくつかの例を、上記の図に示し、以下に詳細を説明する。これらの例の説明において、同様のまたは同一の参照番号は、共通のまたは類似の要素を識別するために使用される。図は必ずしも原寸に比例するものではなく、図のいくつかの特徴およびいくつかの表示は、明確性および／または簡潔のために縮尺を誇張して、または概略的に示されている場合がある。さらにいくつかの例は、本明細書全体に渡って記載されている。いかなる例のいかなる特徴も、他の例の他の特徴の代替として含むことができ、あるいは他の例の他の特徴と組み合わせることができる。
【０００８】
本明細書に記載されている例示的装置は、バイパス弁リストリクタの調整に対応する所定の流量特性を提供するために使用される。さらに本明細書に記載されている例示的装置は、特定の用途に使用する所望の特定の流量特性を提供するために、ボリュームブースタなどの公知の装置とともに使用することができる。さらに、本明細書に記載されている例示的装置は、流量特性を変更するため、および／もしくは他の任意の理由のためにそのような公知の装置内で交換する、かつ／または入れ替えることが可能である。公知のバイパス弁とは異なり、図２および図７に関して以下に記載されている例示的装置は、バイパス弁本体内で容易に交換可能であり、バイパス弁を通る流体流量を調整するより正確で多機能な手段を提供する。
【０００９】
図１は、公知のバイパス弁１０２を含む公知のボリュームブースタ１００を示す。ボリュームブースタ１００は、供給ポート１１０を介して流体結合される入口チャンバ１０６および出口チャンバ１０８を画定する本体１０４を含む。入口チャンバ１０６は、入口開口１１２を有し、出口チャンバ１０８は、出口開口１１４を有する。入り口チャンバ１０６は、ボリュームブースタ１００に流体を供給する供給配管（図示せず）と流体結合されている。さらに、出口チャンバ１０８は、例えばアクチュエータ（図示せず）と流体結合されている。
【００１０】
バイパス弁１０２は、本体１０４に螺合的に係合する、移動可能で調節可能な制限部材、ネジまたはプラグ１１５（以下リストリクタ１１５と呼ぶ）を含む。図示した例に示したように、リストリクタ１１５は、リストリクタ１１５を回転できるようにネジ回しの刃または他の道具を受け入れて、出口チャンバ１０８と流体結合するバイパス制限通路１１６に対するリストリクタ１１５の位置を調整するスロット１２０を有する。バイパス制限通路１１６に対するリストリクタ１１５の位置を調整することにより、ボリュームブースタ１００を起動する入力圧力（例えば、空気圧信号）の大きさが制御される。さらに、リストリクタ１１５には、対応する座１１９と係合する円錐形ヘッド１１７が含まれる。円錐形ヘッド１１７と座１１９との間の開口は、急開流量特性を提供する。具体的には、円錐型ヘッド１１７が座１１９と係脱するとともに、急開流量特性により、座１１９に対する円錐形ヘッド１１７の比較的少ない移動で最大の流量変化が提供される。
【００１１】
圧力入力１１８は、ポジショナ（図示せず）から空気圧信号を受け取る。空気圧信号は、弁（図示せず）の位置に関連する。圧力入力１１８が受け取った空気圧信号が所定のレベルを超える場合、ボリュームブースタ１００は起動する。具体的には、上部ボリュームブースターチャンバ１２２内の圧力が増加し、力を生成する上部ダイアフラム１２４に対して作動する。上部ダイアフラム１２４上の力により、供給ポート弁プラグ１２６が座１２７から離れるように移動し、流体が入口チャンバ１０６から出口チャンバ１０８に流れて、アクチュエータが弁または他のデバイスを開位置および／または閉位置の間で移動するのを支援することができる。あるいは、圧力入力１１８が受け取った空気圧信号が所定のレベルより低い場合、空気圧信号は、バイパス弁１０２によって通過し、バイパス制限通路１１６および出口チャンバ１０８を通ってボリュームブースタ１００を起動せずにアクチュエータに入る。したがって、供給ポート１１０は閉じたままで、入口チャンバ１０６からの不要な流体（例えば、空気）の消費を防止する。
【００１２】
図２は、例示的バイパス弁２００を示す。図２に示すように、バイパス弁２００は、本体２０１と、例示的弁プラグ、調整ネジまたは調整可能なリストリクタ２０２（以下、リストリクタ２０２と呼ぶ）と、挿入部２０４とを含み、それぞれが例えばボリュームブースタ、ポジショナ、変換器、コントローラおよび／または弁などの任意の適切な装置とともに使用されてもよい。図２に示された例では、リストリクタ２０２は、調整ネジとして示されている。しかし、リストリクタ２０２は、例えば、弁プラグなどの他のいかなる適切なリストリクタでもよい。本体２０１は、複数の通路（例えば、第１の通路２０６、第２の通路２０８および第３の通路２１０）を含む。本体２０１は、上述したように、任意の適切なデバイスと分離していてもよいし、または一体化した部品であってもよい。この例示的実施において、挿入部２０４は、第１の通路２０６および第２の通路２０８のそれぞれの内部に部分的に位置している。
【００１３】
挿入部２０４は、第１の開口２１４および第２の開口２１６、ならびに開口２１８を含むボア２１２を画定する。開口２１８は図４に最も明確に示されている。開口２１８は、第１の開口２１４および第２の開口２１６に対して実質的に垂直である。さらに、開口２１８は、ボア２１２および第１の開口２１４を介して第１の通路２０６に流体結合している。
【００１４】
挿入部２０４は、第１の開口２１４が第１の通路２０６に面し、開口２１８が第３の通路２１０に面するように、本体２０１の中に挿入される。以下でより詳細に述べるように、開口２１８は、開口２１８に対するリストリクタ２０２の動き、配置または位置決めに対応して、例えば、線形流量特性、等比百分率流量特性および／もしくは修正流量特性などの所定の流量特性を提供するように成形され、かつ／または寸法にされる。
【００１５】
本例示的実施において、挿入部２０４は、細長い本体２２０およびカラー２２２を有する。細長い本体２２０は、開口２１８と実質的に反対側に位置するクリップ２２４（例えば、スナップ嵌合クリップ）を伴って提供され、クリップ２２４は、本体２０１によって画定される凹所２２６と係合する。クリップ２２４と凹所２２６との間の相互作用は、少なくとも部分的に本体２０１内に挿入部２０４を保持し、第３の通路２１０に関連して開口２１８の位置の維持を支援する。他の例では、挿入部２０４は、例えば、本体２０１内に挿入部２０４を固定するための、本体２０１および／または本体２０１の一面に結合されてもよい保持ブロック（図示せず）によって画定されるリッジ２２７と係合する溝３１２（図３）を伴って提供されてもよい挿入部２０４などの、本体２０１内に挿入部２０４を保持するための他の任意の適切な手段を伴って提供されてもよい。
【００１６】
挿入部２０４は、シール２３０（例えば、Ｏリング、ガスケットその他）を受け取る内部の溝または空洞２２８を含む。シール２３０は、例えば、流体が第２の通路２０８を介して本体２０１から流出するのを実質的に防ぐために、挿入部２０４とリストリクタ２０２の細長い部分２３１との間に摺動するシールを提供するように位置決めされてもよい。シール２３０は、例えば、合成ゴム材料、または熱可塑性材料その他などの、任意の適切な材料で製造されてもよい。さらに、ボア２１２は、リストリクタ２０２の端部２３４によって係合し得る、座２３２を含む。端部２３４が座２３２に係合すると、流体が、第１の通路２０６から開口２１８を通って流れることを実質的に阻止する。挿入部２０４は、例えば、プラスチック材料、ポリオキシメチレン材料（例えば、デルリン（Ｄｅｌｒｉｎ）（登録商標））または金属材料などの、任意の適切な材料で製造されてよい。
【００１７】
リストリクタ２０２は、ヘッド２３６を伴って提供される。第２の通路２０８の一部の寸法は、ヘッド２３６の直径と実質的に一致し、ボア２１２の直径は、細長い部分２３１の直径と実質的一致する。いくつかの例示的実施においては、ボア２１２は、細長い部分２３１の直径よりわずかに小さい直径を有し、細長い部分２３１とボア２１２との間に実質的に気密な締まり嵌めを生成する。細長い部分２３１は、少なくとも部分的にボア２１２の中に挿入される。細長い部分２３１の外側または外面２４０は、少なくとも開口２１８の一部に当接、および／または実質的に隣接する。以下でより詳細に述べるように、開口２１８に対する細長い部分２３１の位置は、少なくとも開口２１８の一部を被覆する、かつ／または開放して、第１の通路２０６から第３の通路２１０へと開口２１８と通る流体流量を変化させる。
【００１８】
リストリクタ２０２のヘッド２３６は、本体２０１のネジ切り２４４に対応して係合するネジ２４２を伴って提供される。さらに、ヘッド２３６は、例えば、ネジ回しなどの任意の適切な道具を受容して、開口２１８に関連するリストリクタ２０２の位置の調整を支援し得るスロット２４５を含む。いくつかの例では、リストリクタ２０２は、例えば、リストリクタ２０２を本体２０１から外した後の、挿入部２０４に対するリストリクタ２０２の位置決めおよび／もしくは再位置決めを支援するレーザマークまたは他の任意の適切な手段を伴って提供される。
【００１９】
本例示的実施では、流体入力（例えば、圧力入力）により、流体を第１の開口２１４に向う矢印２４６によって一般に示される方向の流体流れが許容され得る。細長い部分２３１の端部２３４が座２３２と係合する場合、流体は、ボア２１２を通過して開口２１８を通り第３の通路２１０に流入することは実質的に不可能となる。あるいは、細長い部分２３１の端部２３４は、座２３２と係合せず、少なくとも開口２１８の一部が細長い部分２３１の外面２４０によって被覆されない場合、流体は、ボア２１２に流入して端部２３４を通過して開口２１８を通り第３の通路２１０へと矢印２４８に一般に示される方向に流れる。
【００２０】
いくつかの例では、開口２１８は、開口２１８に対して移動する細長い部分２３１の外面２４０に対応して線形流量特性を提供するように成形され、かつ／または寸法にされる。線形流量特性は、開口２１８に対するリストリクタ２０２の移動距離比と開口２１８を通る流体流量との実質的な線形関係に関連する。この移動距離比は、閉位置（すなわち、細長い部分２３１の端部２３４が座２３２と係合する位置）と全開位置（すなわち、細長い部分２３１の外面２４０が開口２１８のいずれの部分も被覆しない位置）との間の移動距離であり、この場合０％の移動距離比は閉位置であり、１００％の移動距離比は全開位置である。例えば、リストリクタ２０２を、５０％の移動距離比（すなわち、５０％開）に調整または位置する場合、開口２１８を通る流量比は最大流量比の約５０％になる。あるいは、リストリクタ２０２を、８０％の移動距離比（すなわち、８０％開）に調整または位置する場合、開口２１８を通る流量比は最大流量比の約８０％になる。より一般的には、リストリクタ２０２が開口２１８に対して調整、移動または位置決めされると、開口２１８を通る流量比は、リストリクタ２０２が位置された移動距離比の百分率に実質的に比例する。
【００２１】
他の例示的実施では、開口２１８は、開口２１８に対して移動する細長い部分２３１の外面２４０に対応して等比百分率流量特性を提供するような寸法にされ、かつ／または成形される。等比百分率流量特性は、流量比の変更は、リストリクタ２０２を調整する直前の流量比に実質的に比例するように、開口２１８を通る流量比と等比百分率の変化を生成するリストリクタ２０２の移動の等価増分に関連付けられる。
【００２２】
さらに他の例示的実施では、開口２１８は、開口２１８に関連して移動する細長い部分２３１の外面２４０に対応して修正した放物流れ特性を提供するような寸法にされ、かつ／または成形される。修正された放物流れ特性は、比較的低い移動距離比の百分率（すなわち、細長い部分２３１の端部２３４が座２３２に比較的近い）で、実質的に等比百分率流量特性を提供し、かつ比較的高い移動距離比の百分率で（すなわち、細長い部分２３１の外面２４０が開口２１８を被覆しない）、ほぼ線形流量特性を提供する。
【００２３】
この例では、まず第２のシール２５２が、第２のシール２５２が本体２０１の表面２５４に係合するまで、第２の通路２０８に挿入される。第２のシール２５２は、挿入部２０４およびリストリクタ２０２が適切に位置決めされると、少なくとも部分的に流体が第２の通路２０８を通って本体２０１から流出するのを防止する。
【００２４】
次に、挿入部２０４が、クリップ２２４が凹所２２６と整列するように第２の通路２０８に対して位置決めされる。次いで挿入部２０４は、クリップ２２４を凹所２２６が受け取り、挿入部２０４の表面３１４（図３）が第２のシール２５２と隣接する（例えば、第２のシール２５２と密封係合する）まで、第１の通路２０６および第２の通路２０８のそれぞれの少なくとも部分的に挿入される。挿入部２０４を第１および第２の通路２０６および２０８に挿入すると、クリップ２２４を凹所２２６が受け取る前に、挿入部２０４および／またはクリップ２２４を弾力的におよび／または可塑的に変形させることができる。上述のように、本例示的実施では、挿入部２０４が本体２０１に挿入されると、クリップ２２４と反対側にある、開口２１８は第３の通路２１０に面する。次に、リストリクタ２０２の細長い部分２３１は、ボア２１２に挿入され、リストリクタ２０２の端部２３４に座２３２が係合して外面２４０が開口２１８を被覆するまで、リストリクタ２０２が締め付けられる（例えば、回すまたは回転させる）。その後、リストリクタ２０２は、開口２１８を通る所望の流量比が達成されるように挿入部２０４および／または本体２０１に対してリストリクタ２０２を調整して較正される。
【００２５】
いくつかの例では、例えば、異なる流量特性が所望される場合、または他の任意の適切な理由のために、本体２０１内の挿入部２０４を交換する必要がある場合がある。挿入部２０４を交換するために、リストリクタ２０２および挿入部２０４が任意の適切な手段により本体２０１から除去される。交換する挿入部２０４は、次に上述のように本体２０１に挿入される。
【００２６】
図３は、図２の例示的挿入部２０４の別の図を示す。例示的挿入部２０４は、第１の開口２１４および第２の開口２１６（図２）を確定するボア２１２を有する。さらに、挿入部２０４は、ボア２１２と実質的に同軸である細長い本体２２０およびカラー２２２を含む。細長い本体２２０には、クリップ２２４および溝部３１２が設けられており、クリップ２２４および溝部３１２のそれぞれが本体２０１内で挿入部２０４を保持する支援をする（図２）。
【００２７】
図４は、図２および３の例示的挿入部２０４の別の図を示す。示された例は、開口２１８、細長い本体２２０およびカラー２２２間の関係を示す。上述のように、開口２１８は、開口２１８に対する細長い部分２３１（図２）の移動に対応して所定の流量特性を提供するよう成形される。開口２１８は、他の任意の適切な寸法および／または形状（例えば、円形、長円形、楕円形、長方形、その他）でもよく、任意の適切な流量特性に関連付けられていてもよい。
【００２８】
図５は、図２、図３および図４の例示的挿入部２０４の断面図を示す。図示された例は、ボア２１２、第１の開口２１４、および第２の開口２１６の間の関係を示している。さらに、この例示的実施は、細長い本体２２０、カラー２２２、クリップ２２４、および開口２１８の間の関係を示している。開口２１８は、第１の開口２１４および第２の開口２１６と実質的に垂直である。他の例では、開口２１８は、第１の開口２１４および／または第２の開口２１６に対して他の任意の適切な位置にあってもよい。上述のように、挿入部２０４は、シール２３０（図２）を受容する内部の溝または空洞２２８、およびリストリクタ２０２（図２）の端部２３４（図２）に係合され得る座２３２を含む。他の例示的実施では、挿入部２０４は、内部の溝または空洞２２８を含まなくてもよく、したがって、挿入部２０４はシール２３０を設けないことになる。さらに、ボア２１２は、リストリクタ２０２の細長い部分２３１の周りに実質的な気密のシールを生成するような寸法にしてもよい。具体的には、ボア２１２は、リストリクタ２０２がボア２１２に挿入されると、部分的に変形する平滑なプラスチックでできていてもよい。また、挿入部２０４は、第２の開口２１６に隣接する面取り部５０８を含み、リストリクタ２０２の面取り部６０８（図６）に対応し得る。本例示的実施では、細長い本体２２０およびカラー２２２は、実質的に円筒状である。しかし、他の例ではその代わりに、他の任意の適切な形状および／または設計を用いることができる。
【００２９】
図６は、図２の例示的リストリクタ２０２を示す。リストリクタ２０２は、細長い部分２３１およびヘッド２３６を含む。細長い部分２３１の寸法および／または形状は、実質的にボア２１２（図２）に対応する。細長い部分２３１は、円筒柱、直角柱、三角柱、その他などの任意の適切な形状および／または寸法でもよい。上述のように、細長い部分２３１は、開口２１８（図２）を通る流体流量を実質的に止めるための座２３２（図２）に係合し得る端部２３４を含む。
【００３０】
ヘッド２３６は、面取り部６０８、段付部６１０、平面６１２およびスロット２４５を含む。面取り部６０８は、挿入部２０４（図２）の面取り部５０８（図５）と対応してもよく、実質的に平な面６１２は、リストリクタ２０２の位置を識別する支援をするためのレーザの印付けまたは他の任意の適切な手段を含んでよい。具体的には、印付けは、操作者または技術者がリストリクタ２０２を開口２１８に対して実質的に同じ位置に位置決めする支援をする場合がある。さらに、上述のように、ヘッド２３６は、本体２０１（図２）によって画定されるネジ２４４（図２）に対応するネジ２４２を含む。他の例では、ネジ２４２は、リストリクタ２０２の他の任意の適切な表面に位置決めされてもよい。
【００３１】
スロット２４５は、開口２１８（図２）に関連してリストリクタ２０２の位置を調整する支援をするためのスロット２４５に係合する、例えば、ネジ回しなどの道具を受容するような寸法にする、かつ／またはそのように成形できる。スロット２４５は任意の適切な形状および／またはサイズであってもよい。リストリクタ２０２は、例えば、プラスチック材料、鋼鉄材料、アルミ材料、（例えばＡ３６０）、ステンレス鋼材料（例えば、１８−８ＳＳＴ）、真鍮材料、その他などの任意の適切な材料でできていてもよい。
【００３２】
図７は、代替例のバイパス弁７００を示す。図７に示すように、バイパス弁７００は、本体７０１、例示的バルブプラグ、調整ネジまたは調整可能なリストリクタ７０２（以下リストリクタ７０２と呼ぶ）および例示的挿入部７０４を含み、これらの各々は、例えば、ボリュームブースタ、ポジショナ、変換器、コントローラ、および／または弁などの任意の適切な装置とともに使用されてもよい。本体７０１は、複数の通路（例えば、第１の通路７０６、第２の通路７０８および第３の通路７１０）を含む。本体７０１は、上述のように、任意の適切なデバイスと分離してもよく、またはこれらの一体部分であってもよい。具体的には、本体７０１がデバイスと分離している場合、本体７０１は、複数の締結具（図示せず）と結合されてもよい。複数の締結具が締め付けられている場合、シール７１１（例えば、Ｏリング）は、本体７０１とデバイスとの間にシールを生成する。本例示的実施では、リストリクタ７０２は、第１の通路７０６および第２の通路７０８それぞれの部分的に内側に位置し、挿入部７０４は、第３の通路７１０内に少なくとも部分的に位置する。
【００３３】
挿入部７０４は、開口２１８（図２）と実質的に同様の寸法および／または形状であってもよく、かつ／または図８に示されるように開口７１２と実質的に類似してもよい、開口７１２を画定する。上述の挿入部２０４（図２）とは異なり、挿入部７０４は、リストリクタ７０２に実質的に垂直に位置する。挿入部７０４は、第３の通路７１０内で任意の適切な位置に位置されてもよく、本体７０１に一体的に結合されてもよい。さらに、上述のように、開口７１２の寸法および／または形状は、開口７１２に対するリストリクタ７０２の移動に対応して所定の流量特性を提供する。
【００３４】
本体７０１がデバイスから分離している場合、挿入部７０４を交換するために、締結具は緩められて本体７０１はデバイスから取り外される。次に、挿入部７０４は、第３の通路７１０から除去されて交換の挿入部７０４が第３の通路７１０に挿入され、その結果、開口７１２はリストリクタ７０２に当接および／または実質的に隣接する。次に、本体７０１は、デバイスに対して再配置されて複数の締結具が締め直される。
【００３５】
リストリクタ７０２は、ヘッド７１６および細長い本体７１８を含む。ヘッド７１６は、本体７０１の対応するネジ切りした面７２０に螺合的に係合し、細長い本体７１８の外面７２２は、開口７１２に当接および／または実質的に隣接する。いくつかの例では、本体７０１および／または挿入部７０４は、上述のように、流体の第２の通路７０８からの流出を実質的に防止するようにシール（図示せず）が設けられてもよく、かつ／または挿入部７０４と細長い本体７１８との間に摺動するシールを提供してもよい。開口７１２に対して細長い本体７１８が移動して、開口７１２を通る流体流量を変化させる。
【００３６】
いくつかの例示的な方法、装置および製品を本明細書に説明したが、本特許の包含の範囲はそれに限定されるものではない。むしろ、本特許は、添付の特許請求の範囲内に、文字通りまたは均等論の元に適正に収まるすべての方法、装置および製品を包含する。
【図１】
0005684706.tif 000002
【図２】
0005684706.tif 000003
【図３】
0005684706.tif 000004
【図４】
0005684706.tif 000005
【図５】
0005684706.tif 000006
【図６】
0005684706.tif 000007
【図７】
0005684706.tif 000008
【図８】
0005684706.tif 000009